(57)【要約】【課題】トレーサビリティシステムを管理する管理者の管理コストや管理負担を増大させることなく、商品の履歴情報を容易に編集したり登録したりして提供するとともに、付加的な情報を提供したり利用させたりすることができるようにする。【解決手段】商品情報提供サーバ１０が、商品の履歴情報の編集や登録を行うための商品履歴情報登録画面を商品生産業者用ＨＭＤユニット６１に送信し、商品生産業者用ＨＭＤユニット６１から取得した視点領域情報が示す視点領域に対応する編集や登録に関する指示情報を特定し、特定した指示情報に応じた商品の履歴情報の編集や登録のコマンド処理を実行し、コマンド処理が実行された商品の履歴情報を更新して、更新された商品の履歴情報が掲載されている商品履歴情報一覧画面を商品生産業者用ＨＭＤユニット６１に対して送信する。【選択図】図３
2008040885.tif 000002
【特許請求の範囲】
【請求項１】
商品に関連する商品関連業者が使用するユーザ用ヘッドマウントディスプレイユニット（以下、「ＵＨＭＤＵ」という。）と、サイトを開設しているユーザが使用するユーザ端末または消費者が使用する消費者端末からの依頼に応じて商品の履歴情報を提供するとともに商品履歴情報提供者が管理する商品情報提供サーバ装置とを含む商品情報提供システムであって、
前記商品情報提供サーバ装置は、
商品の履歴情報の編集および登録に関する指示情報に基づき当該商品の履歴情報の編集および登録を行うための商品履歴情報登録画面を前記ＵＨＭＤＵに対して送信する商品履歴情報登録画面送信手段と、
前記ＵＨＭＤＵが備える視点領域検出装置によって検出された視点領域情報を取得する視点領域情報取得手段と、
前記ＵＨＭＤＵが備える画像撮影装置によって撮影された画像情報を取得する画像情報取得手段と、
取得した視点領域情報が示す視点領域に対応する指示情報または取得した画像情報に含まれる指示情報を特定する指示情報特定手段と、
特定した指示情報に応じた商品の履歴情報の編集および登録のコマンド処理を実行する編集登録処理実行手段と、
編集および登録のコマンド処理が実行された商品の履歴情報を更新する商品履歴情報更新手段と、
更新された商品の履歴情報が掲載されている商品履歴情報一覧画面を前記ＵＨＭＤＵに対して送信する商品履歴情報一覧画面送信手段とを有し、
前記ＵＨＭＤＵは、
受信した商品履歴情報登録画面や商品履歴情報一覧画面を前記ＵＨＭＤＵが備えるヘッドマウントディスプレイ（以下、「ＨＭＤ」という。）に表示する画面表示手段と、
前記ＨＭＤに表示されている画面に対して商品関連業者が所定時間以上連続して視線を留めた視点領域を検出する視点領域検出装置と、
商品の履歴情報の編集および登録に関する指示情報が含まれている画像を撮影する画像撮影装置と、
該視点領域検出装置が検出した視点領域を示す視点領域情報または該画像撮影装置が撮影した画像情報を前記商品情報提供サーバ装置に対して送信する情報送信手段とを有する
ことを特徴とする商品情報提供システム。
【請求項２】
前記指示情報は、前記編集登録処理実行手段に商品の履歴情報の編集および登録のコマンド処理を実行させるコード情報により構成されている
ことを特徴とする請求項１記載の商品情報提供システム。
【請求項３】
前記商品情報提供サーバ装置は、
前記商品履歴情報提供者が提供するアプリケーションソフトウェアを用いて商品に付されている履歴情報検索コードを提示した前記ユーザ端末からの履歴情報取得依頼に応じて、当該履歴情報検索コードを用いて商品の履歴情報を検索する履歴情報検索手段と、
検索した履歴情報の検索結果に含まれる文字情報を検索キーワードとして決定する検索キーワード決定手段と、
決定した検索キーワードに関連する広告情報の検索依頼を行う広告情報検索依頼手段と、
前記検索依頼に応じて検索エンジンを用いて検索された広告情報を受信する広告情報受信手段と、
受信した広告情報を前記履歴情報の検索結果に貼り付けて前記ユーザ端末に対して提供する履歴情報提供手段と、
提供した広告情報の情報量に応じて、広告の広告依頼者に対する広告料金の課金金額を算出する広告課金金額算出手段とをさらに備えた
ことを特徴とする請求項１又は２記載の商品情報提供システム。
【請求項４】
前記検索依頼に応じて広告情報を検索する検索処理サーバ装置をさらに含み、
前記検索処理サーバ装置は、
前記検索依頼に応じて広告情報を検索エンジンを用いて検索する広告情報検索手段と、
検索した広告情報を前記商品情報提供サーバ装置に対して送信する広告情報送信手段と、
検索した広告情報を蓄積する広告情報蓄積手段と、
前記消費者端末から前記サイトを閲覧することを示す閲覧通知に応じて、広告情報蓄積手段によって蓄積された広告情報を前記サイトのウェブページに貼り付けて前記消費者端末に提供する広告情報提供手段とを備えた
ことを特徴とする請求項３記載の商品情報提供システム。
【請求項５】
前記広告情報提供手段は、前記サイトのウェブページに貼り付けられる前記広告情報の貼付順序を所定の条件に基づき変更する
ことを特徴とする請求項４記載の商品情報提供システム。
【請求項６】
前記商品情報提供サーバ装置は、
算出された課金金額に応じて、前記ユーザ端末に対する前記アプリケーションソフトウェアの使用料金の課金金額を算出するアプリケーションソフトウェア課金金額算出手段をさらに備えた
ことを特徴とする請求項３〜５のいずれか１項記載の商品情報提供システム。
【請求項７】
前記商品関連業者は、商品を生産する生産業者と、商品を搬送する流通業者とのうちいずれか一方を含むことを特徴とする請求項１〜６のいずれか１項記載の商品情報提供システム。
【請求項８】
商品に関連する商品関連業者が使用するユーザ用ヘッドマウントディスプレイユニット（以下、「ＵＨＭＤＵ」という。）と、サイトを開設しているユーザが使用するユーザ端末または消費者が使用する消費者端末からの依頼に応じて商品の履歴情報を提供するとともに商品履歴情報提供者が管理する商品情報提供サーバ装置とが実行する商品情報提供方法であって、
前記商品情報提供サーバ装置が、
商品の履歴情報の編集および登録に関する指示情報に基づき当該商品の履歴情報の編集および登録を行うための商品履歴情報登録画面を前記ＵＨＭＤＵに対して送信する商品履歴情報登録画面送信ステップと、
前記ＵＨＭＤＵからの視点領域情報を取得する視点領域情報取得ステップと、
前記ＵＨＭＤＵからの画像情報を取得する画像情報取得ステップと、
取得した視点領域情報が示す視点領域に対応する指示情報または取得した画像情報に含まれる指示情報を特定する指示情報特定ステップと、
特定した指示情報に応じた商品の履歴情報の編集および登録のコマンド処理を実行する編集登録処理実行ステップと、
編集および登録のコマンド処理が実行された商品の履歴情報を更新する商品履歴情報更新ステップと、
更新された商品の履歴情報が掲載されている商品履歴情報一覧画面を前記ＵＨＭＤＵに対して送信する商品履歴情報一覧画面送信ステップとを実行し、
前記ＵＨＭＤＵが、
受信した商品履歴情報登録画面や商品履歴情報一覧画面を前記ＵＨＭＤＵが備えるヘッドマウントディスプレイ（以下、「ＨＭＤ」という。）に表示する画面表示ステップと、
前記ＨＭＤに表示されている画面に対して商品関連業者が所定時間以上連続して視線を留めた視点領域を検出する視点領域検出ステップと、
商品の履歴情報の編集および登録に関する指示情報が含まれている画像を撮影する画像撮影ステップと、
該視点領域検出ステップにて検出した視点領域を示す視点領域情報または該画像撮影ステップにて撮影した画像情報を前記商品情報提供サーバ装置に対して送信する情報送信ステップとを実行する
ことを特徴とする商品情報提供方法。
【請求項９】
前記指示情報は、前記編集登録処理実行ステップにて商品の履歴情報の編集および登録のコマンド処理を実行させるコード情報により構成されている
ことを特徴とする請求項８記載の商品情報提供方法。
【請求項１０】
前記商品情報提供サーバ装置が、
前記商品履歴情報提供者が提供するアプリケーションソフトウェアを用いて商品に付されている履歴情報検索コードを提示した前記ユーザ端末からの履歴情報取得依頼に応じて、当該履歴情報検索コードを用いて商品の履歴情報を検索する履歴情報検索ステップと、
検索した履歴情報の検索結果に含まれる文字情報を検索キーワードとして決定する検索キーワード決定ステップと、
決定した検索キーワードに関連する広告情報の検索依頼を行う広告情報検索依頼ステップと、
前記検索依頼に応じて検索エンジンを用いて検索された広告情報を受信する広告情報受信ステップと、
受信した広告情報を前記履歴情報の検索結果に貼り付けて前記ユーザ端末に対して提供する履歴情報提供ステップと、
提供した広告情報の情報量に応じて、広告の広告依頼者に対する広告料金の課金金額を算出する広告課金金額算出ステップとをさらに実行する
ことを特徴とする請求項８又は９記載の商品情報提供方法。
【請求項１１】
前記検索依頼に応じて広告情報を検索する検索処理サーバ装置が、
前記検索依頼に応じて広告情報を検索エンジンを用いて検索する広告情報検索ステップと、
検索した広告情報を前記商品情報提供サーバ装置に対して送信する広告情報送信ステップと、
検索した広告情報を蓄積する広告情報蓄積ステップと、
前記消費者端末から前記サイトを閲覧することを示す閲覧通知に応じて、広告情報蓄積ステップにて蓄積された広告情報を前記サイトのウェブページに貼り付けて前記消費者端末に提供する広告情報提供ステップとを実行する
ことを特徴とする請求項１０記載の商品情報提供方法。
【請求項１２】
前記広告情報提供ステップでは、前記サイトのウェブページに貼り付けられる前記広告情報の貼付順序を所定の条件に基づき変更する
ことを特徴とする請求項１１記載の商品情報提供方法。
【請求項１３】
前記商品情報提供サーバ装置が、
算出された課金金額に応じて、前記ユーザ端末に対する前記アプリケーションソフトウェアの使用料金の課金金額を算出するアプリケーションソフトウェア課金金額算出ステップをさらに実行する
ことを特徴とする請求項１０〜１２のいずれか１項記載の商品情報提供方法。
【請求項１４】
前記商品情報提供サーバ装置が、
前記消費者端末からの前記広告情報を選択したことを示す広告選択通知に応じて、前記消費者端末を特定する端末特定ステップと、
前記広告料金の少なくとも一部を、前記消費者端末が属するサービスを提供するサービス事業者のサービス事業範囲内で使用可能なクーポンのポイントに換算するポイント換算ステップと、
換算したポイントを前記消費者端末に通知するポイント通知ステップと、
換算したポイントを前記広告料金の課金金額として換算する課金金額換算ステップと、
前記課金金額換算ステップにて換算された課金金額および前記課金金額算出ステップにて算出された課金金額の前記商品履歴情報提供者、検索エンジン開設者および前記消費者の配分を決定する料金配分決定ステップとをさらに実行する
ことを特徴とする請求項１０〜１３のいずれか１項記載の商品情報提供方法。
【請求項１５】
請求項３〜７のいずれか１項に記載の商品情報提供システムを用い、
サイトを開設していない未開設ユーザが使用する未開設ユーザ端末のユーザ名や当該未開設ユーザが提供する商品の商品名などの前記未開設ユーザ端末に関する検索情報を検索処理サーバ装置によって検索可能なサイトを生成するサイト生成サーバ装置と、
生成されたサイトを商品情報提供サーバ装置および検索処理サーバ装置が属する商品情報提供システムに登録するサイト登録手段とを備えた
ことを特徴とするサーバシステム。
【発明の詳細な説明】
【技術分野】
【０００１】
本発明は、トレーサビリティコードを検索キーとして、商品の履歴情報を提供する商品情報提供システム、商品情報提供方法及びサーバシステムに関する。
【背景技術】
【０００２】
近年、特定の野菜や食肉を購入した消費者等に対して、その野菜や食肉の生産・流通履歴をインターネットなどの通信ネットワークを介して提供するトレーサビリティシステムが利用されるようになってきている。
【０００３】
トレーサビリティシステムでは、野菜や食肉などの商品やその商品の包装に貼付あるいは印字されたコード（トレーサビリティコード）を検索キーとすることで、その商品の生産・流通履歴を検索し閲覧することが可能となる（例えば、特許文献１参照）。
【０００４】
【特許文献１】特開２００５−３１８７５号公報
【発明の開示】
【発明が解決しようとする課題】
【０００５】
しかしながら、上述した特許文献１に記載された従来のシステムでは、商品の生産・流通履歴が提供されるが、この商品の生産・流通履歴を編集したり登録したりする作業は、手入力などによって行われているため即時性に乏しく繁雑で効率が悪いという問題があった。また、商品の生産・流通履歴とともに付加的な情報を提供したり利用させたりすることができないため、依然としてシステムの有効活用が図りにくいという問題があった。
【０００６】
本発明は、上述した問題を解消し、システムの管理コストや管理負担を増大させることなく、商品の履歴情報を容易に編集したり登録したりして提供するとともに、付加的な情報を提供したり利用させたりすることができる商品情報提供システム、商品情報提供方法、及びサーバシステムを提供することを目的とする。
【課題を解決するための手段】
【０００７】
本発明の商品情報提供システムは、商品に関連する商品関連業者が使用するユーザ用ヘッドマウントディスプレイユニット（以下、「ＵＨＭＤＵ」という。）と、サイトを開設しているユーザが使用するユーザ端末または消費者が使用する消費者端末からの依頼に応じて商品の履歴情報を提供するとともに商品履歴情報提供者が管理する商品情報提供サーバ装置とを含む商品情報提供システムであって、前記商品情報提供サーバ装置は、商品の履歴情報の編集および登録に関する指示情報に基づき当該商品の履歴情報の編集および登録を行うための商品履歴情報登録画面を前記ＵＨＭＤＵに対して送信する商品履歴情報登録画面送信手段と、前記ＵＨＭＤＵが備える視点領域検出装置によって検出された視点領域情報を取得する視点領域情報取得手段と、前記ＵＨＭＤＵが備える画像撮影装置によって撮影された画像情報を取得する画像情報取得手段と、取得した視点領域情報が示す視点領域に対応する指示情報または取得した画像情報に含まれる指示情報を特定する指示情報特定手段と、特定した指示情報に応じた商品の履歴情報の編集および登録のコマンド処理を実行する編集登録処理実行手段と、編集および登録のコマンド処理が実行された商品の履歴情報を更新する商品履歴情報更新手段と、更新された商品の履歴情報が掲載されている商品履歴情報一覧画面を前記ＵＨＭＤＵに対して送信する商品履歴情報一覧画面送信手段とを有し、前記ＵＨＭＤＵは、受信した商品履歴情報登録画面や商品履歴情報一覧画面を前記ＵＨＭＤＵが備えるヘッドマウントディスプレイユニット（以下、「ＵＭＤ」という。）に表示する画面表示手段と、前記ＨＭＤに表示されている画面に対して商品関連業者が所定時間以上連続して視線を留めた視点領域を検出する視点領域検出装置と、商品の履歴情報の編集および登録に関する指示情報が含まれている画像を撮影する画像撮影装置と、該視点領域検出装置が検出した視点領域を示す視点領域情報または該画像撮影装置が撮影した画像情報を前記商品情報提供サーバ装置に対して送信する情報送信手段とを有することを特徴とする。
【０００８】
上記のように構成したことで、トレーサビリティシステムを管理する管理者の管理コストや管理負担を増大させることなく、商品関連業者によって商品の履歴情報を容易に編集したり登録したりすることができるようになる。
【０００９】
指示情報は、例えば編集登録処理実行手段に商品の履歴情報の編集および登録のコマンド処理を実行させるコード情報により構成されていてもよい。
【００１０】
商品情報提供サーバ装置は、商品履歴情報提供者が提供するアプリケーションソフトウェアを用いて商品に付されている履歴情報検索コードを提示したユーザ端末からの履歴情報取得依頼に応じて、当該履歴情報検索コードを用いて商品の履歴情報を検索する履歴情報検索手段と、検索した履歴情報の検索結果に含まれる文字情報を検索キーワードとして決定する検索キーワード決定手段と、決定した検索キーワードに関連する広告情報の検索依頼を行う広告情報検索依頼手段と、検索依頼に応じて検索エンジンを用いて検索された広告情報を受信する広告情報受信手段と、受信した広告情報を履歴情報の検索結果に貼り付けてユーザ端末に対して提供する履歴情報提供手段と、提供した広告情報の情報量に応じて、広告の広告依頼者に対する広告料金の課金金額を算出する広告課金金額算出手段とをさらに備えた構成とされていてもよい。
【００１１】
検索依頼に応じて広告情報を検索する検索処理サーバ装置をさらに含み、検索処理サーバ装置は、検索依頼に応じて広告情報を検索エンジンを用いて検索する広告情報検索手段と、検索した広告情報を商品情報提供サーバ装置に対して送信する広告情報送信手段と、検索した広告情報を蓄積する広告情報蓄積手段と、消費者端末からサイトを閲覧することを示す閲覧通知に応じて、広告情報蓄積手段によって蓄積された広告情報をサイトのウェブページに貼り付けて消費者端末に提供する広告情報提供手段とを備えた構成とされていてもよい。
【００１２】
上記のように構成したことで、トレーサビリティシステムを管理する管理者の管理コストや管理負担を増大させることなく、商品の履歴情報とともに付加的な情報として広告情報を提供したり利用させたりすることができるようになる。
【００１３】
広告情報提供手段は、サイトのウェブページに貼り付けられる広告情報の貼付順序を所定の条件に基づき変更する構成とされていてもよい。
【００１４】
商品情報提供サーバ装置は、算出された課金金額に応じて、ユーザ端末に対するアプリケーションソフトウェアの使用料金の課金金額を算出するアプリケーションソフトウェア課金金額算出手段をさらに備えた構成とされていてもよい。
【００１５】
商品関連業者は、商品を生産する生産業者と、商品を搬送する流通業者とのうちいずれか一方を含む。
【００１６】
また、本発明の商品情報提供方法は、商品に関連する商品関連業者が使用するユーザ用ヘッドマウンドディスプレイユニット（以下、「ＵＨＭＤＵ」という。）と、サイトを開設しているユーザが使用するユーザ端末または消費者が使用する消費者端末からの依頼に応じて商品の履歴情報を提供するとともに商品履歴情報提供者が管理する商品情報提供サーバ装置とが実行する商品情報提供方法であって、前記商品情報提供サーバ装置が、商品の履歴情報の編集および登録に関する指示情報に基づき当該商品の履歴情報の編集および登録を行うための商品履歴情報登録画面を前記ＵＨＭＤＵに対して送信する商品履歴情報登録画面送信ステップと、前記ＵＨＭＤＵからの視点領域情報を取得する視点領域取得ステップと、前記ＵＨＭＤＵからの画像情報を取得する画像情報取得ステップと、取得した視点領域情報が示す視点領域に対応する指示情報または取得した画像情報に含まれる指示情報を特定する指示情報特定ステップと、特定した指示情報に応じた商品の履歴情報の編集および登録のコマンド処理を実行する編集登録処理実行ステップと、編集および登録のコマンド処理が実行された商品の履歴情報を更新する商品履歴情報更新ステップと、更新された商品の履歴情報が掲載されている商品履歴情報一覧画面を前記ＵＨＭＤＵに対して送信する商品履歴情報一覧画面送信ステップとを実行し、前記ＵＨＭＤＵが、受信した商品履歴情報登録画面や商品履歴情報一覧画面を前記ＵＨＭＤＵが備えるヘッドマウントディスプレイユニット（以下、「ＨＭＤ」という。）に表示する画面表示ステップと、前記ＨＭＤに表示されている画面に対して商品関連業者が所定時間以上連続して視線を留めた視点領域を検出する視点領域検出ステップと、商品の履歴情報の編集および登録に関する指示情報が含まれている画像を撮影する画像撮影ステップと、該視点領域検出ステップにて検出した視点領域を示す視点領域情報または該画像撮影ステップにて撮影した画像情報を前記商品情報提供サーバ装置に対して送信する情報送信ステップとを実行することを特徴とする。
【００１７】
商品情報提供サーバ装置が、消費者端末からの広告情報を選択したことを示す広告選択通知に応じて、消費者端末を特定する端末特定ステップと、広告料金の少なくとも一部を、消費者端末が属するサービスを提供するサービス事業者のサービス事業範囲内で使用可能なクーポンに換算するポイント換算ステップと、換算したポイントを消費者端末に通知するポイント通知ステップと、換算したポイントを広告料金の課金金額として換算する課金金額換算ステップと、課金金額換算ステップにて換算された課金金額および課金金額算出ステップにて算出された課金金額の商品履歴情報提供者、検索エンジン開設者および消費者の配分を決定する料金配分決定ステップとをさらに実行する構成とされていてもよい。
【００１８】
さらに、本発明のサーバシステムは、上記商品情報提供方法を用い、サイトを開設していない未開設ユーザが使用する未開設ユーザ端末のユーザ名や当該未開設ユーザが提供する商品の商品名などの未開設ユーザ端末に関する検索情報を検索処理サーバ装置によって検索可能なサイトを生成するサイト生成サーバ装置と、生成されたサイトを商品情報提供サーバ装置および検索処理サーバ装置が属する商品情報提供システムに登録するサイト登録手段とを備えたことを特徴とする。
【発明の効果】
【００１９】
本発明によれば、トレーサビリティシステムを管理する管理者の管理コストや管理負担を増大させることなく、商品の履歴情報を容易に編集したり登録したりして提供するとともに、付加的な情報を提供したり利用させたりすることができる。
【発明を実施するための最良の形態】
【００２０】
以下、本発明の一実施の形態について図面を参照して説明する。
図１は、本発明の一実施の形態における商品情報提供システム１００の構成の例を示すブロック図である。図１に示すように、商品情報提供システム１００は、商品情報提供サーバ１０と、検索処理サーバ２０と、ユーザ端末３０と、消費者端末３１と、基地局４０と、サイト管理サーバ５０と、商品生産業者用ヘッドマウントディスプレイユニット（以下、「生産業者用ＨＭＤユニット」という。）６１〜６Ｎ（Ｎ：任意の正の整数）とを含む。
【００２１】
商品情報提供サーバ１０、検索処理サーバ２０、及びサイト管理サーバ５０は、それぞれ、例えば専用回線やインターネットなどの通信ネットワーク７０に接続されている。商品生産業者用ＨＭＤユニット６１〜６Ｎは、それぞれ、無線通信回線によって基地局４０に接続し、この基地局４０を介して通信ネットワーク７０に接続される。
【００２２】
また、商品情報提供サーバ１０、検索処理サーバ２０、及びサイト管理サーバ５０は、それぞれ、ＷＷＷサーバなどの情報処理装置によって構成される。商品情報提供サーバ１０は、例えば商品情報提供システム１００のシステム管理者によって管理される本部サーバであり、トレーサビリティシステムにおける履歴情報の編集登録処理や提供処理などの各種の処理を実行する。この商品情報提供サーバ１０は、各商品生産業者用ＨＭＤユニット６１〜６Ｎを統括的に管理するＨＭＤサーバの役割も担っている。また、商品情報提供サーバ１０は、各商品に関連する商品関連情報や各商品の履歴を示す商品履歴情報などの各種の情報を格納する商品情報ＤＢ１１を備えている。
【００２３】
ここで、上述した商品履歴情報は、商品の生産履歴や流通履歴を示す情報であって、例えば、商品分類、商品名、商品の生産者・製造者・販売元、商品の販売者・販売店、商品の生産日・製造日、商品の生産地・製造地、商品の生産工程における作業名などの各種の情報を含む。なお、商品情報ＤＢ１１は、商品情報提供サーバ１０の内部にあっても外部にあってもよい。また、商品情報提供サーバ１０は、例えばユーザ端末３０に対して、商品の商品履歴情報の検索を行う際に使用されるアプリケーションソフトウェアを提供する。
【００２４】
検索処理サーバ２０は、例えば検索エンジンを利用可能なポータルサイトを運営するポータルサイト運営業者によって管理されるサーバ装置であり、検索エンジンによる検索処理に必要な検索情報を格納する検索情報ＤＢ２１を備えている。検索情報には、検索キーワードに基づき検索エンジンによって検索され得るウェブサイト（以下、単に「サイト」という。）情報や辞書情報、および検索の際に参照される各サイトの閲覧数などの各種の情報を含む。
【００２５】
本例では、検索処理サーバ２０によって検索され得る情報の少なくとも一部が、広告情報として利用される。すなわち、例えば検索情報の一部が、広告情報として利用される。広告情報は、商品履歴情報の検索結果に含まれる文字情報によって決定された検索キーワードに関連する各種の情報であって、例えば、その検索キーワードに関連した地域の広告や、その他関連した各種の広告、あるいはその広告が掲載されているサイトにアクセスするための情報（具体的には、ＵＲＬ）などを含む。なお、検索情報ＤＢ２１は、検索処理サーバ２０の内部にあっても外部にあってもよい。
【００２６】
ユーザ端末３０は、例えばパーソナルコンピュータや携帯情報端末などの情報処理装置によって構成され、通信ネットワーク４０に接続するためのソフトウェア及びハードウェアを含む環境を備えているものとする。なお、ここでは、ユーザ端末３０を使用するユーザは、企業や事業者などであって、特定のサイトを開設していることとする。
【００２７】
サイト管理サーバ５０は、ユーザ端末３０を使用するユーザが開設するホームページ（ＨＰ）やブログなどのウェブサイトのサイト管理者によって管理されるサーバ装置であり、ＨＰやブログの更新処理などの各種の処理を実行する。
【００２８】
消費者端末３１は、ユーザ端末３０と同様に、例えばパーソナルコンピュータや携帯情報端末などの情報処理装置によって構成され、通信ネットワーク４０に接続するためのソフトウェア及びハードウェアを含む環境を備えているものとする。なお、ここでは、消費者端末３１を使用する消費者は、一般消費者であることとする。
【００２９】
商品生産業者用ＨＭＤユニット６１〜６Ｎは、商品生産業者が使用するＨＭＤユニットであり、それぞれ同一の構成とされるため、ここでは商品生産業者用ＨＭＤユニット６１について説明する。商品生産業者用ＨＭＤユニット６１は、例えば店頭販売される各種の商品を生産する商品生産業者によって管理される。商品生産業者は、本例では、例えば牛・豚・鶏などの食肉を生産して、その食肉を加工して商品（例えば、ハムなど）を製造し、製造した商品を販売店などに出荷する業者を意味する。
【００３０】
商品生産業者用ＨＭＤユニット６１は、例えば図２に示すように、商品生産業者の頭部などに装着され、商品情報提供サーバ１０の商品情報ＤＢ１１に格納されている商品履歴情報の編集や登録を行うためのデータ記述などに関するコマンド処理を商品情報提供サーバ１０に実行させるためのＱＲコードやバーコードなどの二次元コードの画像を撮影するＣＣＤやＣＭＯＳからなるカメラ装置などの小型カメラ装置８１と、商品生産業者に対して各種の情報を表示するヘッドマウンドディスプレイユニット（以下、「ＨＭＤ」という。）８２と、ＨＭＤ８２等が設置されるフレーム８３とを含む。
【００３１】
なお、図示はしないが、商品生産業者用ＨＭＤユニット６１には、無線通信を行うための無線通信部と、商品生産業者の視点を検出するための視点検出部と、各種の制御を行うための制御部とが搭載されており、さらに商品生産業者により操作される操作部が設けられていてもよい。操作部が設けられる場合は、この操作部は、商品生産業者用ＨＭＤユニット６１を装着した状態で操作可能となるように、通信ケーブルなどによって制御部に接続されている。
【００３２】
本例では、ＨＭＤ８２は、装着時に、商品生産業者の片目の目前または一部に配置される。したがって、商品生産業者は、片目でＨＭＤ８２を閲覧するとともに、他方の目または両目で現実の空間（実空間）と投影画像とを、片目で平面的に重複し、あるいは両目で立体的な錯視を伴い視認しつつ、各種の作業を行うことが可能となる。
【００３３】
このＨＭＤ８２は、図２に示すように、片目の一部を覆うように配置される場合と、図２に示す場合とは異なり片目全体を覆うように配置される場合とがある。例えば、片目全体を覆うように配置される場合であっても、透明板あるいは半透明板により形成され、その一部に投影画像が表示されるようなものであれば、両目で立体的な錯視を伴い各種の作業を行うことができる。
【００３４】
また、図示は省略するが、本例の商品情報提供システム１００は、ユーザ端末３０や消費者端末３１の他に、特定のサイトを開設していない未開設ユーザが使用する未開設ユーザ端末と、この未開設ユーザ端末のユーザ名や未開設ユーザが提供する商品の商品名などの未開設ユーザ端末に関する検索情報を検索処理サーバ２０によって検索可能なサイトを生成するサイト生成サーバとを含んで構成されてもよい。
【００３５】
次に、本例の商品情報提供システム１００の動作について説明する。
まず、ここでは、商品生産業者Ｕが、商品情報提供サーバ１０の商品情報ＤＢ１１に格納されている商品Ｘの履歴情報の編集や登録を行うときに、商品生産業者用ＨＭＤユニット６１を装着して商品Ｘの履歴情報の編集や登録を行う場合を例にすることとし、本発明に特に関わる処理以外は、説明を省略している場合があるものとする。
【００３６】
図３は、本例の商品情報提供システム１００における商品履歴情報の編集登録処理の例を示すフローチャートである。商品履歴情報編集登録処理において、まず、商品生産業者用ＨＭＤユニット６１は、商品生産業者Ｕによる操作部の所定の操作に応じて、商品情報提供サーバ１０に対して、基地局４０および通信ネットワーク７０を介して起動したことを通知し（ステップＳ１０１）、例えば初期画面の要求を行う。この要求は、商品生産業者用ＨＭＤユニット６１にあらかじめ付与されている装置番号を提示して行う。ここでは、商品生産業者Ｕが商品情報提供サーバ１０に対してアクセスした後に起動通知がなされる。
【００３７】
そして、図示は省略するが、起動通知により初期画面の提供要求を受け付けると、商品情報提供サーバ１０は、提示された装置番号が付与されている商品生産業者用ＨＭＤユニット６１に対して、例えばあらかじめ作成されている目次画面を商品情報ＤＢ１１から読み出して、読み出した目次画面を通信ネットワーク７０および基地局４０を介して送信する。
【００３８】
目次画面を受信すると、商品生産業者用ＨＭＤユニット６１は、自己が備えるＨＭＤ８２の表示画面上に受信した目次画面を表示する。この目次画面は、例えば商品生産業者Ｕが取り扱う各種の商品の履歴情報が、一覧表示、編集登録、印刷出力、あるいは商品のカテゴリー別ソートなどの各項目にそれぞれ区分けされた区分け領域に表示された画面である。すなわち、目次画面では、各項目を示す情報が、それぞれ複数の区分け領域のいずれかに表示される。
【００３９】
目次画面を表示すると、商品生産業者用ＨＭＤユニット６１は、ＨＭＤ８２の表示画面において、自己が備える視点検出部によって商品生産業者Ｕが所定時間以上継続（連続）して同じ区分け領域内で視線（視点）を留めたか否かを監視し、その視点検出部によって所定時間以上継続して視点を留めた区分け領域を視点領域として検出する。そして、商品生産業者用ＨＭＤユニット６１は、検出した視点領域を示す視点領域情報を商品情報提供サーバ１０に対して送信する。
【００４０】
商品情報提供サーバ１０は、受信した視点領域情報が示す視点領域から、対応する目次画面内の区分け領域を特定する。ここでは、視点領域情報に基づいて、一覧表示項目が特定されたこととする。一覧表示項目が特定されると、商品情報提供サーバ１０は、例えば商品履歴情報が一覧形式で掲載されている商品履歴情報一覧画面を商品情報ＤＢ１１から読み出して、提示された装置番号が付与されている商品生産業者用ＨＭＤユニット６１に対して、読み出した商品履歴情報一覧画面を通信ネットワーク７０および基地局４０を介して送信する（ステップＳ１０２）。
【００４１】
商品履歴情報一覧画面を受信すると、商品生産業者用ＨＭＤユニット６１は、自己が備えるＨＭＤ８２に受信した商品履歴情報一覧画面を表示する（ステップＳ１０３）。商品履歴情報一覧画面は、例えば図４に示すように、商品履歴情報一覧画面４００を表示していることを示すタイトルを表示する表示領域４０１、商品履歴情報の編集や登録を行うための後述する商品履歴情報登録画面の表示を選択するための画面切替選択欄（「登録画面へ」と表示されている欄）を表示する表示領域４０２、商品履歴情報一覧画面４００の閲覧の終了を選択するための商品履歴情報一覧画面閲覧終了欄（「閲覧終了」と表示されている欄）を表示する表示領域４０３、商品履歴情報を一覧形式で表示する表示領域４０４などが設けられている。
【００４２】
商品履歴情報一覧画面４００を表示すると、商品生産業者用ＨＭＤユニット６１は、ＨＭＤ８２の表示画面において、自己が備える視点検出部によって商品生産業者Ｕが所定時間以上継続（連続）して表示領域４０２〜４０４のうちの同じ表示領域内で視線（視点）を留めたか否かを監視し、その視点検出部によって所定時間以上継続して視線を留めた表示領域を視点領域として検出する（ステップＳ１０４）。そして、商品生産業者用ＨＭＤユニット６１は、検出した視点領域を示す視点領域情報を商品情報提供サーバ１０に対して送信する（ステップＳ１０５）。ここでは、図４に示すような表示領域４０２に視線が留められたこととする。
【００４３】
商品情報提供サーバ１０は、受信した視点領域情報に基づいて、例えばあらかじめマトリクス状の複数の領域を持つようにメモリ上にマップ展開されている商品履歴情報一覧画面４００上における対応する領域を視点領域として特定する（ステップＳ１０６）。ここでは、上述したように表示領域４０２が視点領域として特定されるため、商品情報提供サーバ１０は、商品履歴情報一覧画面４００から商品履歴情報登録画面への画面切替が選択されたと判断し、商品履歴情報登録画面を生成して（ステップＳ１０７）、商品生産業者用ＨＭＤユニット６１に送信する（ステップＳ１０８）。
【００４４】
商品生産業者用ＨＭＤユニット６１は、商品情報提供サーバ１０からの商品履歴情報登録画面を、自己が備えるＨＭＤ８２の表示画面上に表示する（ステップＳ１０９）。商品履歴情報登録画面は、例えば図５に示すように、商品生産業者Ｕが商品Ｘの履歴情報の編集および登録を行うための画面であり、商品履歴情報登録画面５００を表示していることを示すタイトルを表示する表示領域５０１、商品Ｘの個体識別番号、商品名、生産業者ＩＤ、日付、生産地、作業名、備考などの履歴情報を入力するためのデータ入力欄５１１〜５１７および各データ入力欄５１１〜５１７の選択切替などの方向や選択決定などを指示するための方向キー欄５１８を表示する表示領域５０２、編集した履歴情報の登録を選択するための履歴情報登録欄（「登録」と表示されている欄）を表示する表示領域５０３、履歴情報の編集や登録に際してのコマンド処理などを指示するためのコード情報の取得を選択するためのコード取得選択欄（「コード取得」と表示されている欄）を表示する表示領域５０４、商品生産業者用ＨＭＤユニット６１の操作部などによって各データ入力欄５１１〜５１７へのデータ入力や方向キー欄５１８の操作などを直接行うことを選択するための入力選択欄（「直接入力」と表示されている欄）を表示する表示領域５０５、上述した目次画面に戻ることを選択するための目次画面表示選択欄（「メニューに戻る」と表示されている欄）を表示する表示領域５０６、商品履歴情報登録画面５００の表示を終了して商品履歴情報の編集や登録の終了を選択するための表示終了欄（「終了」と表示されている欄）を表示する表示領域５０７などが設けられている。
【００４５】
商品履歴情報登録画面５００を表示すると、商品生産業者用ＨＭＤユニット６１は、ＨＭＤ８２の表示画面において、自己が備える視点検出部によって商品生産業者Ｕが所定時間以上継続して表示領域５０２〜５０７（各データ入力欄５１１〜５１７および方向キー欄５１８を含む）のうちの同じ表示領域内で視線を留めたか否かを監視し、その視点検出部によって所定時間以上継続して視線を留めた表示領域を視点領域として検出する（ステップＳ１１０）。そして、商品生産業者用ＨＭＤユニット６１は、検出した視点領域を示す視点領域情報を商品情報提供サーバ１０に対して送信する（ステップＳ１１１）。ここでは、図５に示すような表示領域５０４に視線が留められたこととする。
【００４６】
商品情報提供サーバ１０は、受信した視点領域情報に基づいて、例えばあらかじめマトリクス状の複数の領域を持つようにメモリ上にマップ展開されている商品履歴情報登録画面５００上における対応する領域を視点領域として特定する（ステップＳ１１２）。ここでは、上述したように表示領域５０４が視点領域として特定されるため、図示は省略するが、商品情報提供サーバ１０は、商品履歴情報登録画面５００からコード取得が選択されたと判断し、コード取得画面を生成して、商品生産業者用ＨＭＤユニット６１に送信する。
【００４７】
そして、商品生産業者用ＨＭＤユニット６１は、商品情報提供サーバ１０からのコード取得画面を、自己が備えるＨＭＤ８２の表示画面上に表示する。コード取得画面は、例えば図６に示すように、商品Ｘの履歴情報の編集や登録を行う際に、商品履歴情報登録画面５００における各データ入力欄５１１〜５１７へのデータ記述や編纂などのコマンド処理を、商品生産業者用ＨＭＤユニット６１の操作部などを操作することによって行うことなく自動的におこなうためのコマンド処理の内容が示された（割り当てられた）コード情報を取得するための画面である。
【００４８】
このコード取得画面６００は、コード取得画面６００を表示していることを示すタイトルを表示する表示領域６０１、コード情報としてのバーコードを表示する表示領域６０２、方向キー欄を表示する表示領域６０３、表示領域６０２の表示を繰り送って切り替える必要がある場合に選択するための次ページ切替選択欄（「次ページ」と表示されている欄）を表示する表示領域６０４、表示領域６０２の表示を繰り戻して切り替える必要がある場合に選択するための前ページ切替選択欄（「前ページ」と表示されている欄）を表示する表示領域６０５、商品履歴情報登録画面５００に戻る場合に選択するための画面戻り選択欄（「戻る」と表示されている欄）を表示する表示領域６０６などが設けられている。
【００４９】
コード取得画面６００を表示すると、商品生産者用ＨＭＤユニット６１は、ＨＭＤ８２の表示画面において、自己が備える視点検出部によって商品生産業者Ｕが所定時間以上継続して表示領域６０２〜６０６のうちの同じ表示領域内で視線を留めたか否かを監視し、その視点検出部によって所定時間以上継続して視線を留めた表示領域を視点領域として検出し、検出した視点領域を示す視点領域情報を商品情報提供サーバ１０に対して送信する。視点領域情報が表示領域６０２に視線が留められたことを示す場合は、商品情報提供サーバ１０は、視点領域情報に基づいて、さらに商品生産業者用ＨＭＤユニット６１から表示領域６０２のバーコードが示す情報や他のコード情報（例えば、ＱＲコード）が表された画像情報を受信し、コード解析処理や画像分析処理などを行って、商品履歴情報の編集や登録のコマンド処理を実行する。
【００５０】
なお、コード取得画面６００は、商品情報提供サーバ１０から送信されるものの他、例えばあらかじめ印刷出力されたものを商品生産業者用ＨＭＤユニット６１の小型カメラ装置８１によって撮影し、撮影した画像情報をＨＭＤ８２の表示画面上に表示したり商品情報提供サーバ１０に送信したりしたものであってもよい。
【００５１】
商品生産業者Ｕは、商品Ｘの履歴情報の編集や登録が完了した場合に、商品生産者用ＨＭＤユニット６１を用いて、商品履歴情報登録画面５００の表示領域５０３を選択し、この表示領域５０３の視点領域情報を商品情報提供サーバ１０に送信する。この視点領域情報を受信した商品情報提供サーバ１０は、商品Ｘの履歴情報の編集や登録が完了したことを認識し、商品情報ＤＢ１１に格納している商品履歴情報を更新し（ステップＳ１１３）、更新済みの商品履歴情報を反映させた商品履歴情報一覧画面４００を作成する（ステップＳ１１４）。そして、作成した商品履歴情報一覧画面４００を通信ネットワーク７０および基地局４０を介して商品生産者用ＨＭＤユニット６１に送信し（ステップＳ１１５）、ここでの処理を終了する。
【００５２】
更新済みの商品履歴情報一覧画面４００を受信すると、商品生産業者用ＨＭＤユニット６１は、自己が備えるＨＭＤ８２に受信した更新済みの商品履歴情報一覧画面４００を表示して（ステップＳ１１６）、商品履歴情報一覧画面閲覧終了欄を表示する表示領域４０３が視点領域として検出された場合は、ここでの処理を終了する。なお、商品履歴情報の編集や登録を続ける場合は、上述した処理が繰り返される。
【００５３】
次に、本例の商品情報提供システム１００の動作について、ここでは、商品Ｘを購入した消費者Ｙが、ユーザ端末３０を利用して商品情報提供サーバ１０から提供されたアプリケーションソフトウェアを用いて商品Ｘの履歴照会を行う場合を例に説明することとし、本発明に特に関わる処理以外は、説明を省略している場合があるものとする。
【００５４】
図７及び図８は、本例の商品情報提供システム１００における商品情報（商品履歴情報、広告情報）提供処理の例を示すフローチャートである。商品情報提供処理において、まず、ユーザ端末３０は、ユーザＹの操作に応じて商品情報提供サーバ１０にアクセスする（ステップＳ１２１）。
【００５５】
ステップＳ１２１では、例えば、商品Ｘを購入した店舗に付与されているＵＲＬ（Uniform Resource Locator）によりアクセスされる。なお、商品Ｘを製造している製造元などの他の組織や団体に付与されているＵＲＬによりアクセスされるようにしてもよい。
【００５６】
ユーザ端末３０からのアクセスがあると、商品情報提供サーバ１０は、商品に付与されているトレーサビリティコード（商品コード）を入力するためのコード入力画面を生成し、ユーザ端末３０に送信する（ステップＳ１２２）。
【００５７】
ユーザ端末３０は、商品情報提供サーバ１０からのコード入力画面を、自己が備える表示装置に表示する（ステップＳ１０３）。コード入力画面には、例えば図９に示すように、例えば店舗の名称などが表示された表示領域、トレーサビリティコードを入力するためのコード入力領域、コード入力領域に入力したトレーサビリティコードにより商品履歴情報の検索を行う際に押下される検索ボタンなどが設けられている。
【００５８】
コード入力画面が表示されると、ユーザＹは、ユーザ端末３０が備えるキーボードなどの入力装置を操作して、商品Ｘに付与されているトレーサビリティコードをコード入力領域に入力する。
【００５９】
そして、ユーザ端末３０は、検索ボタンの押下を受け付けると、ユーザＹによって入力された商品Ｘのトレーサビリティコードを商品情報提供サーバ１０に送信する（ステップＳ１２４）。
【００６０】
トレーサビリティコードを受信すると、商品情報提供サーバ１０は、商品情報ＤＢ１１に格納されている商品履歴情報を参照し、受信したトレーサビリティコードを用いて、商品Ｘの商品履歴情報を検索する（ステップＳ１２５）。具体的には、商品情報ＤＢ１１に格納されている商品履歴情報の中から、トレーサビリティコード（商品コード）に対応付けされている商品履歴情報を抽出する。
【００６１】
商品Ｘの商品履歴情報を検索すると、商品情報提供サーバ１０は、検索キーワードを決定する（ステップＳ１２６）。本例では、商品情報提供サーバ１０は、検索対象の商品である商品Ｘの名称や、商品Ｘに関係する関連ワードを抽出して、抽出したワードを検索キーワードとすることに決定する。この場合、商品情報ＤＢ１１に格納されている検索キーワード決定用テーブルを用いて、受信した商品Ｘに係るトレーサビリティコードに対応付けされている商品名や関連ワードを抽出する。すなわち、検索キーワード決定用テーブルは、トレーサビリティコードと、そのトレーサビリティコードが示す商品についての検索キーワードとが対応付けされたテーブルである。なお、検索対象の商品である商品Ｘの履歴情報を検索キーワードに含めるようにしてもよい。
【００６２】
ステップＳ１０６では、例えば商品Ｘが豚肉であったとすると、例えば、その豚肉の商品名、その豚肉が含まれている料理メニュー、その豚肉を取り扱っている販売店名や飲食店名、その豚肉の生産地、その豚肉の生産者などの関連ワードのうち一部又は全部が検索キーワードとして抽出される。
【００６３】
検索キーワードを決定すると、商品情報提供サーバ１０は、決定した検索キーワードを提示して、検索処理サーバ２０に対して検索キーワードに関連付けられた文字広告情報の提供要求を行う（ステップＳ１２７）。
【００６４】
次いで、検索処理サーバ２０は、文字広告情報の提供要求に応じて、提示された検索キーワードを設定し、自己に搭載されている検索エンジンを用いて検索キーワードに関連付けられた文字広告情報を検索する（ステップＳ１２８）。具体的には、検索情報ＤＢ２１に格納されている検索情報の中から提示された検索キーワードに基づき検索エンジンを用いて検索した検索キーワードに関連付けられた情報を、文字広告情報として抽出する。ここでの検索処理は、いわゆるアンド検索であってもオア検索であってもよい。その後、検索処理サーバ２０は、検索した文字広告情報を商品情報提供サーバ１０に対して送信する（ステップＳ１２９）。
【００６５】
検索処理サーバ２０からの文字広告情報を受信すると、商品情報提供サーバ１０は、受信した文字広告情報を、検索した商品履歴情報の検索結果に貼り付けて、この検索結果を提示するための商品履歴情報閲覧画面を生成する（ステップＳ１３０）。そして、商品情報提供サーバ１０は、生成した商品履歴情報閲覧画面をユーザ端末３０に対して送信する（ステップＳ１３１）。
【００６６】
ユーザ端末３０は、商品情報提供サーバ１０からの商品履歴情報閲覧画面を、提供されたアプリケーションソフトウェアによって自己が備える表示装置に表示する（ステップＳ１３２）。商品履歴情報閲覧画面には、例えば図１０に示すように、商品Ｘの商品履歴情報が表示された表示領域や、商品Ｘの商品履歴情報の閲覧の終了を選択するための商品履歴情報閲覧終了ボタン（「閲覧を終了する」と表示されているボタン）を表示する領域、および貼り付けられた文字広告情報を表示する広告表示領域などが設けられている。この商品履歴情報閲覧画面は、例えばポータルサイトにおいて情報検索したときの検索結果画面と同様の情報が同様のレイアウトにて表示される画面である。
【００６７】
商品履歴情報閲覧画面が表示されると、ユーザＹは、商品履歴情報閲覧画面に表示されている商品履歴情報および文字広告情報を閲覧するとともに、閲覧を終了したい場合には、ユーザ端末３０に備えられている入力装置を操作して商品履歴情報閲覧終了ボタンを押下する。商品履歴情報閲覧終了ボタンが押下されると（ステップＳ１３３のＹ）、ユーザ端末３０は、ここでの処理を終了する。このとき、商品情報提供サーバ１０に対して商品履歴情報の閲覧処理の完了を指示するための閲覧終了通知を行うようにしてもよい。
【００６８】
一方、検索処理サーバ２０は、ステップＳ１２９にて文字広告情報を商品情報提供サーバ１０に送信したら、検索した文字広告情報を検索情報ＤＢ２１に蓄積する（ステップＳ１３４）。蓄積した文字広告情報は、例えば、次のような場合に用いられる。すなわち、消費者端末３１は、一般消費者の操作に応じてユーザＹが開設するサイトを閲覧するためにサイト管理サーバ５０にアクセスする（ステップＳ１４０）。
【００６９】
消費者端末３１からのアクセスがあると、サイト管理サーバ５０は、ユーザＹが開設するサイトが閲覧されることを示す閲覧通知を検索処理サーバ２０に送信する（ステップＳ１４１）。
【００７０】
閲覧通知を受信すると、検索処理サーバ２０は、検索情報ＤＢ２１に格納されている蓄積した文字広告情報をユーザＹが開設するサイトのサイトページに貼り付けるために、サイト管理サーバ５０にサイトページ情報の送信を要求する（ステップＳ１３５）。
【００７１】
サイトページ情報の送信要求を受信すると、サイト管理サーバ５０は、検索処理サーバ２０にサイトページ情報を送信する（ステップＳ１４２）。サイトページ情報を受信すると、検索処理サーバ２０は、蓄積した文字広告情報をユーザＹが開設するサイト上で閲覧可能とするために、文字広告情報をサイトページ情報に貼り付ける（ステップＳ１３６）。このとき、検索処理サーバ２０は、所定の条件（例えば、検索ヒット率の上位など）に基づいて、貼り付けられる文字広告情報の貼付順序を自動的に変更するようにしてもよい。
【００７２】
文字広告情報を貼り付けたら、検索処理サーバ２０は、サイト管理サーバ５０に文字広告情報を貼り付けたサイトページ情報を送信する（ステップＳ１３７）。なお、このとき、検索処理サーバ２０は、送信したサイトページ情報に含まれる文字広告情報の情報量に関する通知を商品情報提供サーバ１０に送信するようにしてもよい。サイトページ情報を送信したら、検索処理サーバ２０は、ここでの処理を終了する。
【００７３】
サイトページ情報を受信すると、サイト管理サーバ５０は、ユーザＹが開設するサイトを表示するためのサイトページ画面を生成する（ステップＳ１４３）。そして、サイト管理サーバ５０は、生成したサイトページ画面を消費者端末３１に対して送信する（ステップＳ１４４）。サイトページ画面を送信したら、サイト管理サーバ５０は、ここでの処理を終了する。
【００７４】
消費者端末３１は、サイト管理サーバ５０からのサイトページ画面を、自己が備える表示装置に表示する（ステップＳ１４５）。サイトページ画面には、例えば図１１に示すように、サイトのタイトル名称が表示された表示領域や、サイトの内容に関する記事を表示する領域、及び貼り付けられた文字広告情報を表示する広告表示領域などが設けられている。このサイトページ画面は、例えばウェブサイトにおいてウェブページを閲覧したときの表示画面と同様の情報が同様のレイアウトにて表示される画面である。
【００７５】
サイトページ画面が表示されると、一般消費者は、サイトページ画面に表示されている各種の情報及び文字広告情報を閲覧するとともに、閲覧を終了したい場合には、消費者端末３１に備えられているマウス等の入力装置を操作して、例えば、サイトページ画面の表示を終了する閉じるボタン（図示せず）を押下する。閉じるボタンが押下されると（ステップＳ１４６のＹ）、消費者端末３１は、ここでの処理を終了する。このとき、サイト管理サーバ５０および商品情報提供サーバ１０に対してユーザＹが開設するサイトのサイトページの閲覧処理の完了を指示するための閲覧終了通知を行うようにしてもよい。
【００７６】
そして、商品情報提供サーバ１０は、商品履歴情報閲覧画面をユーザ端末３０に送信した後、例えば、商品履歴情報閲覧画面において提供した文字広告情報や、サイトページ画面において提供した文字広告情報の情報量に応じて、文字広告の広告依頼者に対する文字広告料金の課金金額を算出する（ステップＳ１３８）。具体的には、例えば、文字広告情報の情報単位数（すなわち、文字広告情報に用いられるファイル数）や、文字広告情報の内容に関する情報量（すなわち、文字広告情報を構成するデータ量）などの情報量に応じて課金金額を算出する。
【００７７】
文字広告料金の課金金額を算出したら、例えば、商品履歴情報閲覧画面において文字広告情報が選択されたことを示すユーザ端末３０からの広告選択通知の通知回数や、ユーザＹが開設するサイトのサイトページ情報に貼り付けられてサイトページ画面上に表示された文字広告情報が選択されたことを示す消費者端末３１からの広告選択通知の通知回数などに応じて、所定の配分条件などに基づき算出した課金金額によるサイトのサイト管理者、商品履歴情報提供者及び文字広告情報の情報管理者の文字広告料金の配分を決定する（ステップＳ１３９）。このとき、文字広告料金の配分は、これらの者の間であらかじめ取り決められた配分割合（例えば折半）などに基づいて決定されるようにすればよい。料金配分を決定したら、商品情報提供サーバ１０は、ここでの処理を終了する。
【００７８】
なお、商品情報提供サーバ１０は、ステップＳ１３８にて文字広告料金の課金金額を算出するとともに、例えば、ユーザ端末３０に対するアプリケーションソフトウェアの使用料金の課金金額を算出するようにしてもよい。この場合、文字広告料金の課金金額によって使用料金の課金金額を０にするなど、あらかじめ設定された算出基準などに基づいて算出処理を行うようにすればよい。
【００７９】
また、商品情報提供サーバ１０は、次のように課金金額を算出し、料金配分を決定するようにしてもよい。すなわち、商品情報提供サーバ１０は、一般消費者が使用する店舗などに設置された消費者端末３１からの広告情報を選択したことを示す広告選択通知に応じて、文字広告情報を選択した消費者端末３１を特定する。そして、文字広告料金の少なくとも一部を、消費者端末３１が属するサービスを提供するサービス事業者のサービス事業範囲内で使用可能なクーポンなどのポイントに換算する。
【００８０】
次に、換算したポイントを消費者端末３１に通知し、換算したポイントを文字広告料金の課金金額として換算する。なお、換算したポイントの消費者端末３１への通知は、例えば、特定された消費者端末３１から一般消費者の操作入力などによって商品情報提供サーバ１０に通知される一般消費者の個人カード情報やＩＤ情報などの識別情報に基づき、一般消費者が文字広告情報を閲覧するごとにその閲覧画面にポイント加算情報などのポイントを認識可能な情報を表示させるようにすればよい。最後に、換算された課金金額及びステップＳ１３８にて算出された課金金額の履歴情報提供者、検索エンジン開設者及び消費者の配分を決定する。このようにすれば、一般消費者にとっても文字広告情報を選択することでクーポンなどの利益を得ることができるので、文字広告情報を有効に利用することができるようになる。
【００８１】
また、ユーザＹが開設するサイトに掲載される文字広告情報の被選択の確率を高めるようにしたり、掲載期間を延長させるようにしたり、一定期間中の被選択回数を増加させるようにしたりすることに併せて、次のように構成してもよい。すなわち、未開設ユーザ端末からの文字広告情報の検索ヒット率を向上させるために、未開設ユーザ端末に関する検索情報（ユーザ名や商品名などの情報）を検索処理サーバ２０によって検索可能な新たなサイトをサイト生成サーバによって生成する。そして、例えば、生成した新たなサイトを、商品情報提供サーバ１０によって商品情報提供システム１００に登録する。このようにすれば、商品情報提供システム１００において、文字広告情報をより多く見ることができる機会を設けることになるので、文字広告情報のより有効な活用が可能となる。
【００８２】
以上に説明したように、上述した一実施の形態では、商品情報提供サーバ１０が、商品の履歴情報の編集および登録に関する二次元コードなどからなる指示情報に基づき商品の履歴情報の編集および登録を行うための商品履歴情報登録画面を商品生産業者用ＨＭＤユニット６１に対して送信し、商品生産業者用ＨＭＤユニット６１からの視点領域情報を取得し、商品生産業者用ＨＭＤユニット６１からの画像情報を取得し、取得した視点領域情報が示す視点領域に対応する指示情報または取得した画像情報に含まれる指示情報を特定し、特定した指示情報に応じた商品の履歴情報の編集および登録のコマンド処理を実行し、コマンド処理が実行された商品の履歴情報を更新し、更新された商品の履歴情報が掲載されている商品履歴情報一覧画面を商品生産業者用ＨＭＤユニット６１に対して送信するとともに、商品生産業者用ＨＭＤユニット６１が、受信した商品履歴情報登録画面や商品履歴情報一覧画面をＨＭＤ８２に表示し、表示されている画面に対して商品生産業者Ｕが所定時間以上連続して視線を留めた視点領域を検出し、指示情報が含まれている画像を撮影し、検出した視点領域を示す視点領域情報または撮影した画像情報を商品情報提供サーバ１０に対して送信する構成としたことで、トレーサビリティシステムを管理する管理者の管理コストや管理負担を増大させることなく、商品生産業者Ｕによって商品の履歴情報を容易に編集したり登録したりすることができるようになる。
【００８３】
すなわち、商品履歴情報の編集や登録に関する処理を商品情報提供サーバ１０および商品生産業者用ＨＭＤユニット６１が実行することで、商品関連業者である商品生産業者Ｕは、商品の履歴情報の編集や登録などの作業を手入力などによる繁雑な作業で行うことなく、容易に編集したり登録したりすることが可能となる。
【００８４】
また、商品の履歴情報の編集や登録などのデータ記述などのコマンド処理に関する指示情報が、いわゆる二次元コードであるＱＲコードや一次元コードであるバーコードなどのコード情報からなるため、印刷物などに掲載されたこのコード情報を商品生産業者用ＨＭＤユニット６１を用いて撮影し取得したり、ＨＭＤ８２の表示画面上に表示されたこのコード情報を選択したりするだけで、商品の履歴情報の編集や登録などの処理を行うことが可能となる。なお、上述した一実施の形態では、コード情報としてバーコードを例に挙げて説明したが、ＱＲコードや、これらの組み合わせをコード情報として利用することも可能である。
【００８５】
また、上述した一実施の形態では、商品情報提供サーバ１０が、商品履歴情報提供者が提供するアプリケーションソフトウェアを用いて商品に付されているトレーサビリティコードを提示したユーザ端末３０からの履歴情報の取得依頼に応じて、そのトレーサビリティコードを用いて商品の履歴情報を検索し、検索した履歴情報の検索結果に含まれる文字情報を検索キーワードとして決定し、決定した検索キーワードに関連する文字広告情報の検索依頼を行い、その検索依頼に応じて検索エンジンを用いて検索された文字広告情報を受信し、受信した文字広告情報を履歴情報の検索結果に貼り付けてユーザ端末３０に対して提供し、提供した文字広告情報の情報量に応じて、文字広告の広告依頼者に対する文字広告料金の課金金額を算出する構成としたことで、トレーサビリティシステムを管理する管理者の管理コストや管理負担を増大させることなく、商品の履歴情報を提供するとともに付加的な情報として広告情報を提供したり利用したりすることができるようになる。
【００８６】
すなわち、商品履歴情報の検索に伴う広告情報の掲載に関する処理を商品情報提供サーバ１０および検索処理サーバ２０が実行することで、トレーサビリティシステム（具体的には商品情報提供サーバ１０）を管理する管理者は、広告情報の管理を行う必要がなく、さらに広告情報の管理のための設備構築やメンテナンスなどに関するコスト負担を負うことなく、付加的な情報としての広告情報を一般消費者に提供したり利用させたりすることが可能となる。
【００８７】
また、商品情報提供サーバ１０によるアプリケーションソフトウェアによって実現するユーザ端末３０に対する履歴情報の提供に際して、決定された検索キーワードに関連する文字広告情報を、履歴情報やサイト管理サーバ５０による消費者端末３１に対するサイトページ情報と併せて提供し、広告依頼者に文字広告料金を課す構成としているので、商品履歴情報を無料で提供することができるとともに、商品履歴情報の提供やユーザＹのサイトページ表示に関連して文字広告料金を得ることができるようになる。また、広告依頼者にとっては、ある程度の広告料金を負担することによって、ユーザＹが商品履歴情報を閲覧すればするほど、あるいは一般消費者がユーザＹのサイトを閲覧すればするほど履歴情報に関連付けられた自己の文字広告が検索処理サーバ２０の検索結果に多く掲載されるようになるというメリットがある。
【００８８】
また、上述した実施の形態では、商品情報提供サーバ１０によって算出された文字広告料金の課金金額について、所定の配分条件に従って、ユーザＹのサイトのサイト管理者、商品履歴情報提供者および文字広告情報の情報管理者の配分を決定することで、得られた文字広告料金を自動的に分配することが可能となる。
【００８９】
また。上述した実施の形態では、商品情報提供サーバ１０と、検索処理サーバ２０とを別個のサーバとしていたが、商品情報提供サーバ１０と検索処理サーバ２０とが１つのサーバ装置によって構成されていてもよい。
【産業上の利用可能性】
【００９０】
本発明によれば、トレーサビリティシステムを管理する管理者の管理コストや管理負担を増大させることなく、商品の履歴情報を容易に編集したり登録したりして提供するとともに、付加的な情報を提供したり利用させたりするのに有用である。
【図面の簡単な説明】
【００９１】
【図１】本発明の一実施の形態における商品情報提供システムの構成の例を示すブロック図である。
【図２】商品生産業者用ＨＭＤユニットが装着された状態の例を示す説明図である。
【図３】商品履歴情報編集登録処理の例を示すフローチャートである。
【図４】商品履歴情報一覧画面の例を示す説明図である。
【図５】商品履歴情報登録画面の例を示す説明図である。
【図６】コード取得画面の例を示す説明図である。
【図７】商品情報提供処理の例を示すフローチャートである。
【図８】商品情報提供処理の例を示すフローチャートである。
【図９】コード入力画面の例を示す説明図である。
【図１０】商品履歴情報閲覧画面の例を示す説明図である。
【図１１】サイトページ画面の例を示す説明図である。
【符号の説明】
【００９２】
１０        商品情報提供サーバ
１１        商品情報ＤＢ
２０        検索処理サーバ
２１        検索情報ＤＢ
３０        ユーザ端末
３１        消費者端末
４０        基地局
５０        サイト管理サーバ
６１〜６Ｎ        商品生産業者用ＨＭＤユニット
７０        通信ネットワーク
１００      商品情報提供システム
【図１】
2008040885.tif 000003
【図２】
2008040885.tif 000004
【図３】
2008040885.tif 000005
【図４】
2008040885.tif 000006
【図５】
2008040885.tif 000007
【図６】
2008040885.tif 000008
【図７】
2008040885.tif 000009
【図８】
2008040885.tif 000010
【図９】
2008040885.tif 000011
【図１０】
2008040885.tif 000012
【図１１】
2008040885.tif 000013